(57)【要約】【課題】液晶表示装置の上下左右の方向に広い空きスペースが存在しなくても，バックライトのメンテナンスが容易であり，そのメンテナンスの際，液晶パネルへのホコリ等の異物の浸入を防止できること。【解決手段】液晶パネル１２が組み込まれた前面側ユニット１０がバックライト２２の前方を塞ぐ閉状態からバックライト２２の前方を開放する開状態までの範囲で，前面側ユニット１０を回動自在に支持するヒンジ３０と，前面側ユニット１０内で液晶パネル１２の背面側を覆うカバー部材１４を支持し，それを巻取る又はその巻取りを解くことにより，カバー部材１４により液晶パネル１２の背面側が覆われる状態から，カバー部材１４が液晶パネル１２の外側の位置にまとめられる退避状態までの範囲でカバー部材１４を伸縮させるシート巻取り部１３とを備える。【選択図】図１
2010008528.tif 000002
【特許請求の範囲】
【請求項１】
液晶パネル及びその背面を照明するバックライトを備えた液晶表示装置であって，
前記液晶パネルが組み込まれた前面側のユニットが前記バックライトの前方を塞ぐ閉状態から前記バックライトの前方を開放する開状態までの範囲で，前記前面側のユニットを前記バックライトが組み込まれた背面側のユニットに対して回動自在に支持する回動支持手段と，
前記液晶パネルの背面側を覆うカバー部材と，
前記前面側のユニット内で前記カバー部材を支持し，前記カバー部材が広げられて該カバー部材により前記液晶パネルの背面側が覆われる被覆状態から，前記カバー部材が前記液晶パネルの外側の位置にまとめられる退避状態までの範囲で前記カバー部材を伸縮させるカバー部材支持手段と，
を具備してなることを特徴とする液晶表示装置。
【請求項２】
前記カバー部材支持手段が，前記前面側のユニット内における前記液晶パネルの外側に設けられ，シート状の前記カバー部材を巻き取る又はその巻き取りを解くことにより，シート状の前記カバー部材を前記被覆状態から前記退避状態までの範囲で伸縮させるたシート巻取り部を備えてなる請求項１に記載の液晶表示装置。
【請求項３】
シート状の前記カバー部材の先端部における前記液晶パネルの背面側から見て該液晶パネルと干渉しない位置に線状部材が設けられ，
前記カバー部材支持手段が，
前記前面側のユニット内の前記シート巻取り部に対し反対側において，所定の回転駆動部に連動回転して前記線状部材を巻き取ることにより前記シート巻取り部における前記カバー部材の巻取りを解き，前記シート巻取り部に前記カバー部材が巻き取られるのに応じて前記線状部材の巻取りを解く線巻取り部を備えてなる請求項２に記載の液晶表示装置。
【請求項４】
前記シート巻取り部が，前記カバー部材を巻き取る回転方向に弾性付勢されてなり，
前記回転駆動部が，当該液晶表示装置の外部で回転駆動される駆動部である請求項３に記載の液晶表示装置。
【発明の詳細な説明】
【技術分野】
【０００１】
本発明は，液晶表示装置に関し，特に，バックライトのメンテナンスの際の操作性及び防塵性能に優れた液晶表示装置に関するものである。
【背景技術】
【０００２】
液晶表示装置は，液晶パネル及びその背面を照明するバックライトを備えているが，一般に，光源として冷陰極管が採用されることが多いバックライトは，長年の使用により徐々に劣化し，その発光輝度が徐々に低下する。そのため，液晶表示装置におけるバックライトは，その交換が容易であることが望ましい。特に，大型の（画面サイズの大きな）液晶表示装置は，運搬に手間がかかることから，設定された状態のまま簡易にバックライトの光源を交換できることが望ましい。
また，液晶表示装置において，液晶パネルの背面側にホコリ等の異物が付着することは，その異物の影が表示映像に映り込むため好ましくない。このため，バックライトの交換時においても，液晶パネルの背面側は，極力解放されないことが望ましい。
例えば，特許文献１には，ランプ（冷陰極管）と反射器とが一体型で側面方向にスライドするバックライトを備える液晶表示装置が示されている。これにより，バックライトの交換が容易であるとされている。
【特許文献１】特開平１１−２８１３号公報
【発明の開示】
【発明が解決しようとする課題】
【０００３】
しかしながら，特許文献１に示される液晶表示装置は，その側面方向に画面幅にほぼ等しい寸法のスペースがなければ，バックライトの交換ができないという問題点があった。例えば，画面サイズの大きな液晶表示装置は，室内の壁面の大部分を占める状態で設置されていたり，或いは，壁に埋め込まれて設置されているなど，側面方向に十分なスペースを確保できない場合が多い。そのため，特許文献１に示される技術は，画面サイズの大きな液晶表示装置への適用が難しい。
従って，本発明は上記事情に鑑みてなされたものであり，その目的とするところは，液晶表示装置の上下左右の方向に広い空きスペースが存在しなくても，バックライトのメンテナンスが容易であり，そのメンテナンスの際，液晶パネルへのホコリ等の異物の浸入を防止できる液晶表示装置を提供することにある。
【課題を解決するための手段】
【０００４】
上記目的を達成するために本発明は，液晶パネル及びその背面を照明するバックライトを備えた液晶表示装置であり，さらに，次の（１）〜（３）に示される構成要素を備えている。
（１）前記液晶パネルが組み込まれた前面側のユニットが前記バックライトの前方を塞ぐ閉状態から前記バックライトの前方を開放する開状態までの範囲で，前記前面側のユニットを前記バックライトが組み込まれた背面側のユニットに対して回動自在に支持する回動支持手段。
（２）前記液晶パネルの背面側を覆うカバー部材。
（３）前記前面側のユニット内で前記カバー部材を支持し，前記カバー部材が広げられてそのカバー部材により前記液晶パネルの背面側が覆われる被覆状態から，前記カバー部材が前記液晶パネルの外側の位置にまとめられる退避状態までの範囲で前記カバー部材を伸縮させるカバー部材支持手段。
例えば，前記カバー部材支持手段が，以下に示されるシート巻取り部を備えることが考えられる。即ち，前記シート巻取り部は，前記前面側のユニット内における前記液晶パネルの外側に設けられる。さらに，前記シート巻取り部は，シート状の前記カバー部材を巻き取る又はその巻き取りを解くことにより，シート状の前記カバー部材を前記被覆状態から前記退避状態までの範囲で伸縮させる。
【０００５】
本発明に係る液晶表示装置においては，前記バックライトの前方に配置される前記前面側ユニットが，扉のように回動されるだけで前記バックライトの前方が解放される。これにより，当該液晶表示装置の上下左右の方向に広い空きスペースが存在しなくても，前記バックライトをメンテナンス可能な状態（前記開状態）にすることができる。しかも，前記液晶パネルが大型で重量の大きなものであっても，それを取り外す必要がない。従って，メンテナンス作業が容易である。
さらに，本発明に係る液晶表示装置においては，前記カバー部材により前記液晶パネルの背面側を覆うことが可能なため，前記バックライトの前方が解放された前記開状態においても，前記液晶パネルへのホコリ等の異物の浸入を防止できる。
【０００６】
また，前記カバー部材支持手段が前記シート巻取り部を有する場合， シート状の前記カバー部材の先端部における前記液晶パネルの背面側から見て該液晶パネルと干渉しない位置に線状部材が設けられた構成が考えられる。
この場合，前記カバー部材支持手段は，以下に示される線巻取り部を備える。
即ち，前記線巻取り部は，前記前面側のユニット内の前記シート巻取り部に対し反対側において，所定の回転駆動部に連動回転して前記線状部材を巻き取ることによって前記シート巻取り部における前記カバー部材の巻取りを解くものである。さらに，前記線巻取り部は，前記シート巻取り部に前記カバー部材が巻き取られるのに応じて前記線状部材の巻取りを解くものである。
例えば，前記シート巻取り部が，前記カバー部材を巻き取る回転方向に弾性付勢されるものであり，前記回転駆動部が，当該液晶表示装置の外部で回転駆動される駆動部であることが考えられる。
これにより，前記前面側のユニットが開かれる前に，前記カバー部材により前記液晶パネルの背面側が覆われる前記被覆状態にすることができ，前記液晶パネルへのホコリ等の異物の浸入防止をより確実にすることができる。
【発明の効果】
【０００７】
本発明によれば，上下左右の方向に広い空きスペースが存在しなくても，バックライトのメンテナンスが容易であり，そのメンテナンスの際，液晶パネルへのホコリ等の異物の浸入を防止できる液晶表示装置を提供可能である。
【発明を実施するための最良の形態】
【０００８】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は本発明の第１実施形態に係る液晶表示装置Ｘの斜視図，図２は液晶表示装置Ｘの平断面図，図３は液晶表示装置Ｘにおける前面側ユニットの背面図，図４は本発明の第２実施形態に係る液晶表示装置Ｘ’の平断面図，図５は液晶表示装置Ｘ’における前面側ユニットの背面図である。
【０００９】
以下，図１〜図３を参照しつつ，本発明の第１実施形態に係る液晶表示装置Ｘの構成について説明する。
液晶表示装置Ｘは，液晶パネル１２及びその背面を照明するバックライト２２を備えている。前記バックライト２２は，複数の冷陰極管である。
また，液晶表示装置Ｘは，前記液晶パネル１２が組み込まれた前面側ユニット１０と，前記バックライト２２が組み込まれた背面側ユニット２０とが，ヒンジ３０により連結された構造を有している。なお，図３において，前記ヒンジ３０の記載が省略されている。
前記前面側ユニット１０は，前記液晶パネル１２，シート巻取り部１３，カバー部材１４，引き出し線部材１６，及び線巻取り部１７等の部品が，前面側の筐体１１に組み込まれてユニット化されたものである。
また，前記背面側ユニット２０は，前記バックライト２２と，そのバックライト２２を構成する複数の冷陰極管各々を保持する蛍光管保持部材２３等の部品が，背面側の筐体２１に組み込まれてユニット化されたものである。
なお，前記前面側ユニット１０及び前記背面側ユニット２０には，上記以外の部品も組み込まれているが，それにつての記載は省略する。
【００１０】
前記ヒンジ３０は，前記前面側ユニット１０を前記背面側ユニット２０に対して回動自在に支持する回動支持手段の一例である。前記ヒンジ３０は，前記前面側ユニット１０が前記バックライト２２の前方を塞ぐ状態（閉状態）から，前記バックライト２２の前方を開放する状態（開状態）までの範囲で，前記前面側ユニット１０を回動させる。具体的には，前記ヒンジ３０は，約９０°の範囲で前記前面側ユニット１０を回動させる。
なお，図１は，前記開状態を表す斜視図である。
前記閉状態においては，前記前面側の筐体１１と前記背面側の筐体２１とが所定の係合部４０により係合され，これにより前記閉状態が保持される。図１に示される例では，前記前面側の筐体１１に，前記閉状態において前記背面側の筐体２１に螺着されるビスと係合する係合部４０が設けられている。
【００１１】
前記カバー部材１４は，前記液晶パネル１２の背面側を覆うシート状の部材である。このカバー部材１４は，広げられた状態で矩形状に形成され，その一辺が前記シート巻取り部１３に接着されている。
前記シート巻取り部１３は，前記前面側ユニット１０内における前記液晶パネル１２の外側に設けられている。即ち，前記液晶パネル１２の背面側から見てその液晶パネル１２と干渉しない位置に設けられている。
そして，前記シート巻取り部１３は，筒状に形成され，その回転によりシート状の前記カバー部材１４を巻き取ったり，その巻き取りを解いたりするものである。これにより，前記シート巻取り部１３は，前記カバー部材１４を支持するとともに，前記カバー部材１４が広げられてそのカバー部材１４により前記液晶パネル１２の背面側が覆われる状態（以下，被覆状態という）から，前記カバー部材１４が前記液晶パネル１２の外側の位置にまとめられる状態（以下，退避状態という）までの範囲で，前記カバー部材１４を伸縮させる。
筒状の前記シート巻取り部１３には，それを回転駆動させるスプリングセット（不図示）が内包されている。即ち，前記スプリングセットは，前記カバー部材１４を巻き取る回転方向に前記シート巻取り部１３を弾性付勢する。前記シート巻取り部１３及び前記スプリングセットは，いわゆるスプリング式のロールスクリーンに採用されているシート部材の巻取り機構を構成している。
【００１２】
また，前記カバー部材１４の先端部，即ち，矩形状の前記カバー部材１４の前記シート巻取り部１３に接着された辺と対向する辺には，その辺（縁部）に沿って棒状部材１５が設けられている。
前記棒状部材１５は，その両端部分それぞれが前記前面側の筐体１１の上下の縁部内側に沿って形成されたレール１１ａに摺動し，そのレール１１ａよりその移動経路が案内される。
さらに，前記カバー部材１４の先端部には，前記棒状部材１５を介して２本の前記引き出し線部材１６が設けられている。この引き出し線部材１６は，線状（紐状といってもよい）の部材であり，例えば，ワイヤやテグス等である。前記引き出し線部材１６は，図３に示されるように，前記液晶パネル１２の背面側から見てその液晶パネル１２と干渉しない位置，即ち，前記液晶パネル１２の上辺よりも上側と同下辺よりも下側の各位置に設けられている。
【００１３】
前記線巻取り部１７は， 前記前面側ユニット１０内における前記シート巻取り部１３に対し反対側に回転自在に保持され，前記引き出し線部材１６を巻き取り，また，その巻取りを解く回転体である。２本の前記引き出し線部材１６それぞれを巻き取る２つの前記線巻取り部１７は，連結軸１８により連結され，それぞれの回転が連動するよう構成されている。そして，前記線巻取り部１７が前記引き出し線部材１６を巻き取ることにより，前記シート巻取り部１３における前記カバー部材１４の巻取りが解かれる。また，前記シート巻取り部１３に前記カバー部材１４が巻き取られるのに応じて，前記線巻取り部１７における前記引き出し線部材１６の巻取りが解かれる。
【００１４】
また，前記線巻取り部１７には，前記前面側の筐体１１に形成された小さな開口部から挿入される駆動軸５１の先端を嵌合させる嵌合孔が設けられている。また，前記駆動軸５１には，当該液晶表示装置Ｘの外部で手動回転される操作部５３が設けられている。即ち，前記駆動軸５１は，当該液晶表示装置Ｘの外部で回転駆動される駆動部の一例である。
そして，図３に示されるように，前記線巻取り部１７は，前記駆動軸５１と連結（嵌合）された状態で前記操作部５３が手動回転されることにより，前記駆動軸５１の回転に連動して回転する。このように，前記線巻取り部１７は，回転駆動部である前記駆動軸５１に連動回転して前記引き出し線部材１６を巻き取ることにより，前記シート巻取り部１３における前記カバー部材１４の巻取りを解く。
【００１５】
また，前記駆動軸５１には，前記前面側の筐体１１と係合して固定されるワンウェイクラッチ５２（図３参照）が設けられている。このワンウェイクラッチ５２は，前記線巻取り部１７により前記引き出し線部材１６が巻き取られる方向へ前記駆動軸５１が回転することを許容し，その反対方向へ前記駆動軸５１が回転することを規制する。また，前記ワンウェイクラッチ５２は，その回転方向の規制を解除する機構も備えている。これにより，前記被覆状態において，前記ワンウェイクラッチ５２による前記駆動軸５１の回転方向の規制が解除されない限り，前記被覆状態が保持される。また，前記ワンウェイクラッチ５２における回転方向規制が解除される，或いは前記線巻取り部１７と前記駆動軸５１との連結が解除される（即ち，前記駆動軸５１が引き抜かれる）ことにより，前記スプリングセットの作用によって前記カバー部材１４が自動的に前記待避状態へ移行する。
前記駆動軸５１，前記ワンウェイクラッチ５２及び前記操作部５３は，１つの工具５０を構成し，この工具５０は，例えば，サービスマン等により取り扱われる。
なお，前記工具５０に前記ワンウェイクラッチ５２が設けられる代わりに，例えば，前記線巻取り部１７が，外部から挿入される回転規制部材と係合することによってその回転が規制される被係合部を備えることも考えられる。
【００１６】
以上に示した液晶表示装置Ｘにおいて，前記バックライト２２のメンテナンス（冷陰極管の交換等）が行われる場合，以下の手順で作業が行われる。
まず，前記前面側ユニット１０が閉じられた前記閉状態のままで，前記工具５０の前記駆動軸５１が，前記前面側の筐体１１の孔に挿入され，前記線巻取り部１７に嵌合される。
さらに，前記液晶表示装置Ｘの外側から前記工具５０を回す操作がなされ，これにより，前記線巻取り部１７に前記引き出し線部材１６が巻き取られる。その結果，前記カバー部材１４が前記待避状態から前記被覆状態へ移行する。また，前記ワンウェイクラッチ５２の作用により，前記被覆状態が保持される。なお，図１には，説明の便宜上，前記開状態において前記カバー部材１４が前記待避状態から前記被覆状態へ移行する途中の状態が示されている。
次に，前記係合部４０の係合が解除され，前記前面側ユニット１０が前方（手前側）へ回動される。これにより，前記前面側ユニット１０が前記閉状態から前記開状態へ移行する。
【００１７】
次に，前記開状態において，前記バックライト２２のメンテナンスが行われる。このとき，前記カバー部材１４が前記被覆状態であるので，前記液晶パネル１２へのホコリ等の異物の浸入が防がれる。
前記バックライト２２のメンテナンスが終了すると，前記前面側ユニット１０が，元の前記閉状態へ戻され，前記係合部４０の係合により前記前面側ユニット１０が前記閉状態でロックされる。
最後に，前記ワンウェイクラッチ５２の回転規制が解除され，前記工具５０が前記液晶表示装置Ｘから取り外される。これにより，前記カバー部材１４が，前記被覆状態から，前記液晶パネル１２による映像表示が可能な前記待避状態へ移行する。
このように，前記液晶表示装置Ｘにおいては，上下左右の方向に広い空きスペースが存在しなくても，前記バックライト２２を容易にメンテナンスすることができ，また，そのメンテナンスの際，前記液晶パネル１２へのホコリ等の異物の浸入を防ぐことができる。
【００１８】
次に，図４及び図５を参照しつつ，本発明の第２実施形態に係る液晶表示装置Ｘ’について説明する。なお，図４は，液晶表示装置Ｘ’の平断面図，図５は，液晶表示装置Ｘ’が備える前面側ユニット１０’の背面図である。図５において，前記液晶表示装置Ｘが備えるものと同じ前記ヒンジ３０の記載が省略されている。
以下，液晶表示装置Ｘ’について，前記液晶表示装置Ｘと異なる部分についてのみ説明する。なお，図４及び図５において，図１〜図３に示される構成要素と同じ構成要素については同じ符号が付されている。
液晶表示装置Ｘ’において，前記液晶表示装置Ｘと異なる部分は，前記液晶パネル１２の背面側を覆うカバー部材１４’が，蛇腹状に形成され，前記液晶パネル１２の外側において折り畳まれた状態でまとめられることによって前記退避状態となる点である。
前記カバー部材１４’は，広げられた状態で矩形状に形成され，所定間隔で折り目が形成された蛇腹状の部材である。
前記カバー部材１４’の一辺は，折り畳まれた前記カバー部材１４’が収容される収容ボックス１３’に接着されている。また，前記カバー部材１４’の先端部，即ち，矩形状の前記カバー部材１４’の前記収容ボックス１３’に接着された辺と対向する辺には，前記カバー部材１４の場合と同様に，その辺（縁部）に沿って前記棒状部材１５が設けられている。この棒状部材１５も，その両端部が前記レール１１ａに摺動し，そのレール１１ａにより移動経路が案内される。
【００１９】
前記棒状部材１５は，その両端部付近それぞれにおいて，駆動側プーリー１７ａ及び従動側プーリー１ｂに引っ掛けられた２本の無担ベルト１６’それぞれの一部に固着されている。これら２本の無担ベルト１６’も，前記引き出し線部材１６と同様に，背面側から見て前記液晶パネル１２の外側の位置に配置されている。
また，２つの前記駆動側プーリー１７ａは，前記線巻取り部１７と同様に，前記連結軸１８により連結されて連動する。
また，前記駆動側プーリー１７ａの一方には，前記線巻取り部１７と同様に，前記工具５０の前記駆動軸５２の先端部と嵌合する孔が形成されている。
【００２０】
そして，前記工具５０が操作されて前記駆動側プーリー１７ａが装置外側から回転駆動されることにより，その回転方向に応じて，前記カバー部材１４’が広がって前記被覆状態となったり，前記カバー部材１４’が前記収容ボックス１３’内に折り畳まれて前記待避状態となったりする。
このような液晶表示装置Ｘ’も，本発明の実施形態の一例であり，前記液晶表示装置Ｘと同様の作用効果を奏する。
【００２１】
以上に示された実施形態は，いずれも，前記カバー部材１４，１４’が，左右方向において広げられたり端の方の一箇所にまとめられたりするよう構成されていた。しかしながら，前記カバー部材１４，１４’が，前記液晶表示装置Ｘ，Ｘ’と同様の構成によって上下方向において広げられたり，上方又は下方の一箇所にまとめられたりする構成も考えられる。
また，より簡易な構成として，例えば，前記液晶表示装置Ｘにおいて，前記引き出し線部材１６や前記線巻取り部１７が省略され，代わりに，前記線巻取り部１７の位置に前記棒状部材１５（前記カバー部材１４の先端部）を係止する係止部が設けられた構成も考えられる。但し，この場合，前記前面側ユニット１０が前記開状態となってからのみ，前記カバー部材１４の巻取りを解いて（引き出して）前記被覆状態とすることができる。
また，前記液晶表示装置Ｘ，Ｘ’が，前記線巻取り部１７や前記駆動側プーリー１７ａを回転駆動させるモータと，所定の操作部（押しボタンスイッチ等）からの操作に応じてそのモータの回転，停止及び回転方向を切り換えるモータ制御回路を備えることも考えられる。
【産業上の利用可能性】
【００２２】
本発明は，液晶表示装置への利用が可能である。
【図面の簡単な説明】
【００２３】
【図１】本発明の第１実施形態に係る液晶表示装置Ｘの斜視図。
【図２】液晶表示装置Ｘの平断面図。
【図３】液晶表示装置Ｘにおける前面側ユニットの背面図。
【図４】本発明の第２実施形態に係る液晶表示装置Ｘ’の平断面図。
【図５】液晶表示装置Ｘ’における前面側ユニットの背面図。
【符号の説明】
【００２４】
Ｘ，Ｘ’：液晶表示装置
１０，１０’：前面側ユニット
１１：前面側の筐体
１２：液晶パネル
１３：シート巻取り部
１３’：カバー部材の収納ボックス
１４，１４’：カバー部材
１５：棒状部材
１６：引き出し線部材
１６’：無担ベルト
１７：線巻取り部
１７ａ：駆動側プーリー
１７ｂ：従動側プーリー
１８：連結軸
２０：背面側ユニット
２１：背面側の筐体
２２：バックライト
２３：蛍光管保持部材
３０：ヒンジ
４０：係合部
５０：工具
５１：駆動軸
５２：ワンウェイクラッチ
【図１】
2010008528.tif 000003
【図２】
2010008528.tif 000004
【図３】
2010008528.tif 000005
【図４】
2010008528.tif 000006
【図５】
2010008528.tif 000007